(57)【要約】【課題】コンテンツに係る情報を表示するための通信装置およびプログラムを提供すること。【解決手段】多機能機１０は、フィード情報にアクセス可能であり、タッチパネル５０を備える。多機能機１０は、フィード情報を取得し、コンテンツ情報１３２を抽出する。多機能機１０は、コンテンツ情報１３２と、コンテンツ情報記憶領域３７ごとに対応付けられる表示優先度１４７とを記憶する。多機能機１０は、表示対象とされる全てのコンテンツ情報１３２のコンテンツタイトル文字列１４０をタッチパネル５０にスクロール表示する間に、表示優先度１４７の低いコンテンツ情報１３２に比べ表示優先度１４７が高いコンテンツ情報１３２ほど、コンテンツタイトル文字列１４０をより多くの回数タッチパネル５０にスクロール表示する。多機能機１０は、コンテンツタイトル文字列１４０がスクロール表示されることに応じて、表示優先度１４７を１段階低下させる。【選択図】図６
2010231307.tif 000002
【特許請求の範囲】
【請求項１】
コンテンツのタイトルと前記コンテンツのコンテンツ位置情報と前記コンテンツの内容を示す本文情報とを少なくとも含むコンテンツ情報を複数含むフィード情報にアクセス可能であり、表示部を備える通信装置であって、
前記フィード情報を取得し、取得した前記フィード情報から前記コンテンツ情報を抽出するコンテンツ情報抽出手段と、
前記コンテンツ情報と、前記コンテンツ情報ごとに対応付けられる表示優先度とを記憶するコンテンツ情報記憶手段と、
前記コンテンツ情報記憶手段で記憶される前記コンテンツ情報の内で表示対象とされる全ての前記コンテンツ情報について、前記コンテンツ情報の少なくとも一部を前記表示部にスクロール表示する間に、前記表示優先度の低い前記コンテンツ情報に比べ前記表示優先度が高い前記コンテンツ情報程、前記コンテンツ情報の少なくとも一部をより多くの回数前記表示部にスクロール表示する表示手段と、
を備え、
前記コンテンツ情報記憶手段は、前記表示手段によって前記コンテンツ情報の少なくとも一部が前記表示部にスクロール表示されることに応じて、該コンテンツ情報に対応付けられる前記表示優先度を第１低下度で低下させる
ことを特徴とする通信装置。
【請求項２】
前記表示部に表示される前記コンテンツ情報を選択する操作を受け付ける選択受付手段と、
前記コンテンツ情報抽出手段で新たな前記フィード情報を取得して前記コンテンツ情報を抽出する際に、以前に抽出された前記コンテンツ情報に対して新たな前記コンテンツ情報が抽出されたか否かを判断し、抽出された新たな前記コンテンツ情報の前記表示優先度を予め定められる初期優先度に設定する新着情報判断手段と
を備え、
前記表示手段は、前記選択受付手段で選択された前記コンテンツ情報に含まれる前記本文情報を前記表示部に表示し、
前記コンテンツ情報記憶手段は、前記本文情報が表示された前記コンテンツ情報の前記表示優先度を第２低下度で低下させる
ことを特徴とする請求項１に記載の通信装置。
【請求項３】
前記選択受付手段で選択された前記コンテンツ情報に含まれる前記コンテンツ位置情報に基づいて、前記コンテンツを取得する詳細情報取得手段
を備え、
前記表示手段は、前記詳細情報取得手段で取得された前記コンテンツを前記表示部に表示し、
前記コンテンツ情報記憶手段は、前記コンテンツが表示された前記コンテンツ情報の前記表示優先度を第３低下度で低下させる
ことを特徴とする請求項２に記載の通信装置。
【請求項４】
前記第２低下度および前記第３低下度は、前記第１低下度よりも大きく設定される
ことを特徴とする請求項２または請求項３に記載の通信装置。
【請求項５】
前記第３低下度は前記第２低下度よりも大きく設定される
ことを特徴とする請求項２ないし請求項４の何れかに記載の通信装置。
【請求項６】
コンテンツのタイトルと前記コンテンツのコンテンツ位置情報と前記コンテンツの内容を示す本文情報とを少なくとも含むコンテンツ情報を複数含むフィード情報にアクセス可能であり、表示部を備える通信装置のプログラムであって、
前記フィード情報を取得し、取得した前記フィード情報から前記コンテンツ情報を抽出するコンテンツ情報抽出手段と、
前記コンテンツ情報と、前記コンテンツ情報ごとに対応付けられる表示優先度とを記憶するコンテンツ情報記憶手段と、
前記コンテンツ情報記憶手段で記憶される前記コンテンツ情報の内で表示対象とされる全ての前記コンテンツ情報について、前記コンテンツ情報の少なくとも一部を前記表示部にスクロール表示する間に、前記表示優先度の低い前記コンテンツ情報に比べ前記表示優先度が高い前記コンテンツ情報程、前記コンテンツ情報の少なくとも一部をより多くの回数前記表示部にスクロール表示する表示手段と、
を備え、
前記コンテンツ情報記憶手段は、前記表示手段によって前記コンテンツ情報の少なくとも一部が前記表示部にスクロール表示されることに応じて、該コンテンツ情報に対応付けられる前記表示優先度を第１低下度で低下させる
ことを特徴とする通信装置のプログラム。
【発明の詳細な説明】
【技術分野】
【０００１】
本発明は、ネットワーク上で公開されているコンテンツに係る情報を表示するための通信装置およびプログラムに関する。
【背景技術】
【０００２】
様々なコンテンツがネットワーク上で公開されている。また、各コンテンツのＵＲＬと各コンテンツのタイトルとを含むコンテンツ情報を複数含んだ情報（例えば、フィード情報など）を公開しているサーバが存在する。フィード情報のフォーマットとしては、例えば、ＲＳＳ(Resource Description Framework Site Summary)やＡｔｏｍが存在する。下記の非特許文献１には、フィード情報を取得してコンテンツ情報を抽出し、各コンテンツのタイトルを表示するためのソフトウェアが開示されている。このソフトウェアをＰＣにインストールすると、ユーザは、各コンテンツのタイトルを見ることができる。ユーザがタイトルをクリックすると、ＰＣは、ブラウザを起動し、そのタイトルに対応するコンテンツのＵＲＬにアクセスする。これにより、ＰＣにおいてコンテンツが表示される。
【先行技術文献】
【非特許文献】
【０００３】
【非特許文献１】小津智幸、“ＲＳＳ対応サイトの配信記事タイトルを電光掲示板風に表示「Ｄｉｒｔｙ  Ｎｅｗｓ  Ｒｅａｄｅｒ」”、［Ｏｎｌｉｎｅ］、平成１６年５月２６日、Ｉｍｐｒｅｓｓ  Ｃｏｒｐｏｒａｔｉｏｎ、［平成２０年７月２９日検索］、インターネット、＜ｈｔｔｐ：／／ｗｗｗ．ｆｏｒｅｓｔ．ｉｍｐｒｅｓｓ．ｃｏ．ｊｐ／ａｒｔｉｃｌｅ／２００４／０５／２６／ｄｉｒｔｙｎｅｗｓｒｅａｄｅｒ．ｈｔｍｌ＞
【発明の概要】
【発明が解決しようとする課題】
【０００４】
フィード情報から抽出されたコンテンツ情報には、更新日時が新しい情報と古い情報とが混在する。そして、抽出された全てのコンテンツ情報を表示する場合には、新しい情報が古い情報に埋もれて表示されることにより、ユーザが新しい情報に気が付かない場合がある。特に、抽出されたコンテンツ情報の件数が多い場合に、ユーザが新しい情報に気が付かない傾向が高くなる。本明細書では、このような不便性を解消することができる技術を提供する。
【課題を解決するための手段】
【０００５】
本発明に係る通信装置およびプログラムは、コンテンツ情報を複数含むフィード情報にアクセス可能とされる。コンテンツ情報は、各コンテンツのタイトルと、各コンテンツのコンテンツ位置情報と、コンテンツの内容を示す本文情報と、を少なくとも含む情報である。上記の「位置情報」という用語は、コンテンツの位置を特定することができるあらゆる情報を含む概念である。位置情報の一例として、例えば、ＵＲＬ（Ｕｎｉｆｏｒｍ  Ｒｅｓｏｕｒｃｅ  Ｌｏｃａｔｏｒ）等を挙げることができる。また、上記の「タイトル」は、コンテンツの全体の文字列よりも少ない文字列であって、コンテンツの内容を反映している文字列を意味する。また、「本文情報」は、コンテンツの内容を説明する情報であり、コンテンツの要約的な情報である。本文情報の情報量は、本文情報の元となるコンテンツの情報量よりも少なくされる。また、本発明に係る通信装置は、表示部を備える。表示部の一例としては、タッチパネルが挙げられる。
【０００６】
本発明に係る通信装置およびプログラムは、コンテンツ情報抽出手段と、コンテンツ情報記憶手段と、表示手段と、を備える。コンテンツ情報抽出手段は、フィード情報を取得し、取得したフィード情報からコンテンツ情報を抽出する。コンテンツ情報記憶手段は、コンテンツ情報と、コンテンツ情報ごとに対応付けられる表示優先度とを記憶する。表示優先度は、コンテンツ情報を表示する回数の大小を設定する情報である。表示優先度が高く設定されるコンテンツ情報ほど、他のコンテンツ情報よりも表示回数が多くされる。表示手段は、コンテンツ情報記憶手段で記憶されるコンテンツ情報の内で表示対象とされる全てのコンテンツ情報について、コンテンツ情報の少なくとも一部を表示部にスクロール表示する間に、表示優先度の低いコンテンツ情報に比べ表示優先度が高いコンテンツ情報程、コンテンツ情報の少なくとも一部をより多くの回数で表示部にスクロール表示する。コンテンツ情報記憶手段で記憶されるコンテンツ情報の内で表示対象とされる全てのコンテンツ情報の一例としては、予め定められる所定の優先度より高い表示優先度が設定されているコンテンツ情報が挙げられる。この場合、所定の優先度より低い表示優先度が設定されているコンテンツ情報については、表示部に表示されない。コンテンツ情報の少なくとも一部の一例としては、コンテンツのタイトルや本文情報などが挙げられる。またスクロール表示する際の回数は固定値に限られず、例えば、表示優先度が高くなることに応じて回数を多くするとしてもよい。また、コンテンツ情報記憶手段は、表示手段によってコンテンツ情報の少なくとも一部が表示部にスクロール表示されることに応じて、該コンテンツ情報に対応付けられる表示優先度を第１低下度で低下させる。第１低下度は、例えば、ユーザによって予め定められるとしてもよい。
【０００７】
これにより、スクロール表示されたコンテンツ情報は、表示優先度が低くされていく。よって、表示対象とされる全てのコンテンツ情報を少なくとも１回ずつ表示し終えるまでの間に、表示回数が少ないコンテンツ情報ほど多い回数で表示することができる。よって、表示回数が少ない情報が表示回数が多い情報に埋もれて表示されることにより、表示回数が少ない情報にユーザが気が付かない、という事態の発生を防止することができる。また、表示回数が多い情報の表示優先度を低くすることで、同一記事が繰り返し表示される事態を防止できるため、表示回数が少ない情報をユーザに気付かせ易い態様で表示することができる。
【０００８】
また、通信装置は、選択受付手段と、新着情報判断手段とを備えるとしてもよい。選択受付手段は、表示部に表示されるコンテンツ情報を選択する操作を受け付ける。選択する操作の一例としては、表示部がタッチパネルである場合には、表示された内容をユーザの指で押下する操作が挙げられる。また、新着情報判断手段は、コンテンツ情報抽出手段で新たなフィード情報を取得してコンテンツ情報を抽出する際に、以前に抽出されたコンテンツ情報に対して新たなコンテンツ情報が抽出されたか否かを判断する。そして、抽出された新たなコンテンツ情報の表示優先度を、予め定められる初期優先度に設定する。初期優先度の度合いは、例えば、ユーザによって予め定められるとしてもよい。また、表示優先度は、初期優先度が設定されている場合に、最も優先度が高い状態とされる。また、表示手段は、選択受付手段で選択されたコンテンツ情報に含まれる本文情報を表示部に表示する、としてもよい。ユーザは、コンテンツに興味を持った場合には、本文情報を表示部に表示してコンテンツの概略を知ることで、コンテンツにアクセスするか否かを判断することができる。また、コンテンツ情報記憶手段は、本文情報が表示されたコンテンツ情報の表示優先度を第２低下度で低下させる、としてもよい。第２低下度は、例えば、ユーザによって予め定められるとしてもよい。
【０００９】
これにより、本文情報がユーザによって表示されたコンテンツ情報の表示優先度を低くすることで、本文情報を既読のコンテンツ情報が繰り返しスクロール表示される事態を防止できるため、本文情報を未読のコンテンツ情報をユーザに気付かせ易い態様で表示することが可能となる。
【００１０】
また通信装置は、詳細情報取得手段を備えるとしてもよい。詳細情報取得手段は、選択受付手段で選択されたコンテンツ情報に含まれるコンテンツ位置情報に基づいて、コンテンツを取得する。また、コンテンツの取得は、コンテンツ位置情報によって指定されたサーバにアクセスすることで行われる。また、表示手段は、詳細情報取得手段で取得されたコンテンツを表示部に表示する、としてもよい。本文情報を読むなどしてコンテンツに興味を持ったユーザは、表示手段により、本文情報の元となるコンテンツを表示部に表示させることができる。また、コンテンツ情報記憶手段は、詳細情報が表示されたコンテンツ情報の表示優先度を第３低下度で低下させる、としてもよい。第３低下度は、例えば、ユーザによって予め定められるとしてもよい。
【００１１】
これにより、コンテンツがユーザによって表示されたコンテンツ情報の表示優先度を低くすることで、コンテンツを既読のコンテンツ情報が繰り返しスクロール表示される事態を防止できるため、コンテンツを未読のコンテンツ情報をユーザに気付かせ易い態様で表示することが可能となる。
【００１２】
また、第２低下度および第３低下度は、第１低下度よりも大きく設定される、としてもよい。これにより、タイトル等が表示されることによる表示優先度の低下度合いよりも、本文情報やコンテンツが表示されることによる表示優先度の低下度合いの方が大きくなる。よって、本文情報やコンテンツが表示済みのコンテンツ情報（すなわち、ユーザによって選択される可能性が低い情報）よりも、本文情報やコンテンツが未表示のコンテンツ情報（すなわち、ユーザによって選択される可能性が高い情報）の方が、より多い回数で表示されるため、ユーザの利便性を高めることができる。
【００１３】
また、第３低下度は第２低下度よりも大きく設定される、としてもよい。これにより、本文情報が表示されることによる表示優先度の低下度合いよりも、コンテンツが表示されることによる表示優先度の低下度合いの方が、大きくなる。本文情報が表示されたコンテンツ情報は、コンテンツを表示するためにユーザに再度選択される可能性が高い。一方、コンテンツが表示されたコンテンツ情報は、コンテンツ以上に詳細な情報は存在しないことから、ユーザに再度選択される可能性が低い。そして、コンテンツが表示されたコンテンツ情報よりも、本文情報が表示されたコンテンツ情報の方が、より多い回数で表示されるため、ユーザの利便性を高めることが可能となる。
【図面の簡単な説明】
【００１４】
【図１】多機能機システムの概略図である。
【図２】多機能機のメインループの動作フローチャートである。
【図３】多機能機の記事更新処理の動作フローチャートである。
【図４】多機能機の新着情報保存処理の動作フローチャートである。
【図５】多機能機の記事表示処理の動作フローチャートである。
【図６】多機能機の新着記事優先表示処理の動作フローチャートである。
【図７】多機能機の詳細情報表示処理の動作フローチャートである。
【図８】ＵＲＬ記憶領域の記憶内容の一例を示す図である。
【図９】コンテンツ情報記憶領域の記憶内容の一例を示す図である。
【図１０】表示内容テーブルの記憶内容の一例を示す図である。
【発明を実施するための形態】
【００１５】
図面を参照して実施例を説明する。図１は、本実施例の多機能機システム２の概略図を示す。多機能機システム２は、多機能機１０と、ＰＣ７０と、複数のコンテンツ提供サーバ９０および９１と、を備える。多機能機１０は、ＬＡＮ回線４に接続されている。ＰＣ７０は、ＬＡＮ回線４に接続されている。ＬＡＮ回線４は、ルータ６を介してインターネット８に接続されている。各コンテンツ提供サーバ９０、９１は、インターネット８に接続されている。本実施例では、コンテンツ提供サーバ９０がある１つのサイトを公開しており、コンテンツ提供サーバ９１が別の１つのサイトを公開している。各サイトは、複数のコンテンツを含んでいる。さらに、各コンテンツ提供サーバ９０、９１は、自身のサイトが含んでいる複数のコンテンツの要約情報であるフィード情報（ＲＳＳ形式のフィード情報）を記憶している。これらの情報の具体的な内容については、後で詳しく説明する。
【００１６】
多機能機１０は、制御部１２、タッチパネル５０、キーパッド５２、印刷部５４、ＦＡＸ部５８、ネットワークインターフェイス６０、ＰＳＴＮインターフェイス６２、等を有する。制御部１２は、ＣＰＵ１４、ＲＯＭ１６、ＲＡＭ３０、ＮＶＲＡＭ４０、等を有する。
【００１７】
ネットワークインターフェイス６０は、ＬＡＮ回線４に接続されている。多機能機１０は、ＰＣ７０と通信可能であるとともに、インターネット８にアクセス可能である。
【００１８】
ＣＰＵ１４は、ＲＯＭ１６に記憶されている各種のプログラムに従って様々な処理を実行する。基本機能プログラム１８は、多機能機１０の基本的な動作を制御するためのプログラムである。基本機能プログラム１８は、例えば、タッチパネル５０に表示される表示データを生成するためのプログラムを含んでいる。また、基本機能プログラム１８は、例えば、印刷部５４、ＦＡＸ部５８等を制御するためのプログラムを含んでいる。インターネット接続プログラム２０は、インターネット８に接続するためのプログラムである。フィード情報解析プログラム２２は、コンテンツ提供サーバ９０、９２から取得されるフィード情報を解析し、コンテンツ情報１３２を抽出するためのプログラムである。
【００１９】
ＮＶＲＡＭ４０は、基本機能パラメータ記憶領域４２およびＵＲＬ記憶領域４４を備える。基本機能パラメータ記憶領域４２は、ＣＰＵ１４が基本機能プログラム１８に従って処理を実行する際に利用される各種パラメータ（例えば印刷設定、ＦＡＸ設定等）を記憶するための記憶領域である。ＵＲＬ記憶領域４４は、各コンテンツ提供サーバ９０、９１が有するフィード情報のＵＲＬを記憶するための記憶領域である。例えば、ユーザは、各コンテンツ提供サーバ９０、９１からのコンテンツ提供サービスを受けるための登録を行なう必要がある。
【００２０】
ＲＡＭ３０は、基本機能ワーク領域３２、フィード情報解析ワーク領域３４、表示内容テーブル３６、コンテンツ情報記憶領域３７を備える。基本機能ワーク領域３２は、基本機能プログラム１８に従って処理が実行される過程で生成される各種データを記憶するための記憶領域である。フィード情報解析ワーク領域３４は、フィード情報解析プログラム２２に従って処理が実行される過程で作成される各種データを記憶するための記憶領域である。表示内容テーブル３６は、タッチパネル５０に表示するための情報を保持するテーブルである。コンテンツ情報記憶領域３７は、コンテンツ提供サーバから取得したフィード情報から抽出されたコンテンツ情報１３２を保持する領域である。コンテンツ情報１３２は、フィード情報の少なくとも一部を有するように生成される。
【００２１】
図８に、ＵＲＬ記憶領域４４の記憶内容の一例を示す。図８の例では、ｎ個のサイトＵＲＬ１０２が記憶されている。サイトＵＲＬ１０２は、各コンテンツ提供サーバ９０、９１のフィード情報のＵＲＬである。各サイトＵＲＬ１０２には、識別番号１００が付与されている。また、サイトＵＲＬ１０２の各々に対応して、取得設定１０３および取得ステータス１０４が記憶される。取得設定１０３は、サイトＵＲＬ１０２に基づいてフィード情報を取得するか否かを決定する設定であり、例えばユーザによって予め設定される。取得ステータス１０４は、記事更新処理時において、サイトＵＲＬ１０２に基づいた記事更新が行われる前なのか後なのかを表すステータスである。
【００２２】
図９を用いて、コンテンツ情報記憶領域３７の記憶内容について説明する。コンテンツ情報記憶領域３７は、ＵＲＬ記憶領域４４に記憶されているサイトＵＲＬ１０２ごとに表示情報１１２を記憶することが可能である。個々の表示情報１１２のデータ構成について説明する。表示情報１１２は、サイトタイトル文字列１２２を備える。サイトタイトル文字列１２２は、サイト名を表す文字列である。また、表示情報１１２は、ｍ個（ｍは１以上の整数）のコンテンツ情報１３２を備える。コンテンツ情報１３２は、コンテンツタイトル文字列１４０、ディスクリプション１４４、コンテンツ更新日時情報１４２、コンテンツＵＲＬ１４６、表示優先度１４７、属性情報１４９を備えている。コンテンツタイトル文字列１４０は、コンテンツのタイトルの文字列である。ディスクリプション１４４は、コンテンツが有する文字列が要約化されたものである。コンテンツ更新日時情報１４２は、コンテンツ提供サーバにおいてコンテンツが更新された日時（最新の更新日時）に関する情報である。コンテンツＵＲＬ１４６は、それぞれのコンテンツのＵＲＬである。表示優先度１４７は、コンテンツタイトル文字列１４０をタッチパネル５０に表示する回数の優先度を設定する情報である。表示優先度１４７が高く設定されるコンテンツ情報１３２ほど、他のコンテンツ情報１３２に比して、コンテンツタイトル文字列１４０の表示回数が多くされる。なお、本実施形態の例では、表示優先度１４７の数字が小さいほど優先度が高い場合を説明する。属性情報１４９は、コンテンツ情報１３２の新しさを表す情報である。本実施形態の例では、「新しい」「通常」「古い」の３種類の属性情報１４９が用いられる場合を説明する。
【００２３】
図１０を用いて、ＲＡＭ３０の表示内容テーブル３６の記憶内容について説明する。表示内容テーブル３６には、ｋ個（ｋは１以上の整数）の記憶領域１３４が備えられる。また、各記憶領域１３４には、メモリ番号Ｍ０ないしＭ（ｋ−１）が割り振られる。記憶領域１３４の各々には、コンテンツ情報１３２から抽出されたコンテンツタイトル文字列１４０およびディスクリプション１４４が保持される。
【００２４】
多機能機１０の動作を、図２ないし図７のフローチャートを用いて説明する。多機能機１０の動作のメインループを、図２を用いて説明する。本メインループ処理は、多機能機１０の電源がオンされることにより実行が開始され、電源がオフされるまで繰り返し実行されるものである。Ｓ１１において、ＣＰＵ１４は、多機能機１０がＲＳＳサイト設定モードに入っているか否かを判断する。ＲＳＳサイト設定モードに入っている場合（Ｓ１１：ＹＥＳ）には、Ｓ１３へ進む。ＲＳＳサイト設定モードへの遷移は、例えば、ユーザの操作によって行われる。
【００２５】
Ｓ１３において、ＣＰＵ１４は、ＲＳＳサイト設定処理を行う。ＲＳＳサイト設定処理では、ユーザが閲覧を希望するＲＳＳサイトのサイトＵＲＬ１０２が、多機能機１０に登録される。ＲＳＳサイト設定処理は、例えば、タッチパネル５０にＲＳＳサイト設定画面を表示し、ユーザがタッチパネル５０やキーパッド５２を用いてサイトＵＲＬ１０２を入力することで行われても良い。
【００２６】
Ｓ１５に進むと、ＣＰＵ１４は、ＲＳＳサイトの登録を確定するか否かを判断する。登録を確定しない場合（「ＣＡＮＣＥＬ」ボタンの入力など）（Ｓ１５：ＮＯ）には、ＲＳＳサイト設定処理が終了される。一方、登録を確定する場合（「ＯＫ」ボタンの入力など）（Ｓ１５：ＹＥＳ）には、Ｓ１７へ進む。Ｓ１７において、ＣＰＵ１４は、入力されたサイトＵＲＬ１０２をＵＲＬ記憶領域４４に保存する。
【００２７】
一方、ＲＳＳサイト設定モードに入っていない場合（Ｓ１１：ＮＯ）には、Ｓ１９へ進む。Ｓ１９において、ＣＰＵ１４は、記事更新時間が到来したか否かを判断する。記事更新時間は、所定間隔時間ごとに到来するように算出される。所定間隔時間は、例えばユーザによって予め設定される。記事更新時間が到来した場合（Ｓ１９：ＹＥＳ）には、Ｓ２１へ進む。Ｓ２１では、記事更新処理が行われる。記事更新処理の詳しい内容は、後述する。一方、記事更新時間が到来していない場合（Ｓ１９：ＮＯ）には、Ｓ２９へ進む。
【００２８】
Ｓ２９において、ＣＰＵ１４は、記事表示処理を行う。記事表示処理では、例えば、コンテンツ情報１３２のコンテンツタイトル文字列１４０が１つずつタッチパネル５０スクロール表示され、ユーザがスクロール表示されたタイトルをタッチすると、ディスクリプション１４４が表示されるとしてもよい。また、詳細情報を表示する旨のボタンがタッチパネル５０に表示され、ユーザが当該ボタンをタッチすると、ディスクリプション１４４の元となるコンテンツが表示されるとしてもよい。
【００２９】
多機能機１０における、Ｓ２１で行われる記事更新処理について、図３を用いて詳説する。Ｓ３１において、ＣＰＵ１４は、ＵＲＬ記憶領域４４（図８）に記憶されているサイトＵＲＬ１０２について、順に参照する。
【００３０】
Ｓ３３に進むと、ＣＰＵ１４は、サイトＵＲＬ１０２の各々の取得設定１０３が「取得する」に設定されているか否かを判断する。「取得する」に設定がされていない場合（Ｓ３３：ＮＯ）には記事更新処理が終了され、「取得する」に設定がされている場合（Ｓ３３：ＹＥＳ）にはＳ３５へ進む。Ｓ３５において、ＣＰＵ１４は、ＵＲＬ記憶領域４４において取得設定１０３が「取得する」に設定されているサイトＵＲＬ１０２の取得ステータス１０４を、「更新前」に設定する。
【００３１】
Ｓ３７に進むと、ＣＰＵ１４は、サイトＵＲＬ１０２に基づいて各コンテンツ提供サーバ９０、９１にアクセスし、フィード情報を取得する。
【００３２】
Ｓ３９に進むと、ＣＰＵ１４は、新着情報保存処理を行う。新着情報保存処理は、新着情報のコンテンツ情報１３２を抽出して保存する処理である。新着情報保存処理の詳細な内容については、後述する。
【００３３】
Ｓ４１に進むと、ＣＰＵ１４は、フィード情報を取得したサイトＵＲＬ１０２の取得ステータス１０４を「更新後」に変更する。
【００３４】
Ｓ４３において、ＣＰＵ１４は、取得ステータス１０４が「更新前」であるサイトＵＲＬ１０２がＵＲＬ記憶領域４４に存在するか否かを判断する。存在する場合（Ｓ４３：ＹＥＳ）にはＳ３７へ戻り、更新前のサイトＵＲＬ１０２に基づいてフィード情報を取得する。一方、存在しない場合（Ｓ４３：ＮＯ）には、フローを終了する。
【００３５】
多機能機１０における、Ｓ３９で行われる新着情報保存処理について、図４を用いて詳説する。Ｓ６１において、ＣＰＵ１４は、フィード情報解析プログラム２２を実行する。そして、取得したフィード情報のＸＭＬ形式のファイルを解析し、各コンテンツ情報１３２を抽出する。
【００３６】
Ｓ６２において、ＣＰＵ１４は、既に取得されているコンテンツ情報１３２が存在するか否かを判断する。当該判断は、コンテンツ情報記憶領域３７（図９）に記憶されているコンテンツ情報１３２の有無を確認することによって行われる。取得済みのコンテンツ情報１３２が存在しない場合（Ｓ６２：ＮＯ）にはフローが終了され、存在する場合（Ｓ６２：ＹＥＳ）にはＳ６４へ進む。Ｓ６４において、ＣＰＵ１４は、今回取得したコンテンツ情報１３２の各々と、取得済みのコンテンツ情報１３２とを比較する。
【００３７】
Ｓ６５に進むと、ＣＰＵ１４は、今回取得したコンテンツ情報１３２と一致するコンテンツ情報１３２が、取得済みのコンテンツ情報１３２の中に存在するか否かを判断する。例えば、取得済みコンテンツ情報１３２の中に、今回取得したコンテンツ情報１３２のコンテンツタイトル文字列１４０と一致するコンテンツタイトル文字列１４０を有するものが存在する場合には、今回取得したコンテンツ情報１３２と一致する取得済みのコンテンツ情報１３２が存在する、と判断される。また、例えば、コンテンツ更新日時情報１４２が一致するか否かにより、上記判断を行ってもよい。今回取得したコンテンツ情報１３２と同一のコンテンツ情報１３２が既に存在すると判断される場合（Ｓ６５：ＹＥＳ）には、Ｓ６７に進み、ＣＰＵ１４は、今回取得したコンテンツ情報１３２を削除する。そしてＳ７９へ進む。
【００３８】
一方、今回取得したコンテンツ情報１３２と同一の情報が存在しないと判断される場合（Ｓ６５：ＮＯ）には、今回取得したコンテンツ情報１３２は新着情報であると判断され、Ｓ７６に進む。Ｓ７６において、ＣＰＵ１４は、新着情報である新しいコンテンツ情報１３２の表示優先度１４７を、予め定められる初期優先度である「０段階」に設定する。初期優先度は、ユーザ等によって予め定められる値である。また、表示優先度は、初期優先度が設定されている場合が、最も優先度が高い状態である。また、ＣＰＵ１４は、今回取得したコンテンツ情報１３２の属性情報１４９を、「新しい」に設定する。
【００３９】
Ｓ７７に進むと、ＣＰＵ１４は、新着情報であるコンテンツ情報１３２を、コンテンツ情報記憶領域３７（図９）へ保存する。そしてＳ７９へ進む。
【００４０】
Ｓ７９に進むと、ＣＰＵ１４は、今回取得したコンテンツ情報１３２のうち、まだ新着情報か否かが未判断のコンテンツ情報１３２が存在するか否かを判断する。未判断のコンテンツ情報１３２が存在する場合（Ｓ７９：ＹＥＳ）にはＳ６４へ戻り、ＣＰＵ１４は、当該未判断のコンテンツ情報１３２について新着情報保存処理を行う。一方、未判断のコンテンツ情報１３２が存在しない場合（Ｓ７９：ＮＯ）には、フローを終了する。
【００４１】
これにより、Ｓ６１ないしＳ７９によって、新着情報として取得された新しいコンテンツ情報１３２を抽出し、初期優先度＝「０段階」および属性情報１４９＝「新しい」を設定した上で、コンテンツ情報記憶領域３７へ保存するという、新着情報保存処理を行うことができる。
【００４２】
次に、多機能機１０における、Ｓ２９で行われる記事表示処理について、図５を用いて詳説する。記事表示処理は、コンテンツ情報１３２を選択するための情報として、コンテンツ情報１３２の少なくとも一部をタッチパネル５０に表示する処理である。本実施形態の例では、コンテンツ情報１３２を選択するための情報として、コンテンツタイトル文字列１４０を用いる場合を説明する。
【００４３】
Ｓ２１１において、ＣＰＵ１４は、コンテンツ情報記憶領域３７において、表示対象とするコンテンツ情報１３２を参照する。Ｓ２１３に進むと、ＣＰＵ１４は、参照したコンテンツ情報１３２の表示優先度１４７を確認する。
【００４４】
Ｓ２１５に進むと、ＣＰＵ１４は、確認した表示優先度１４７が「１０段階」以内であるか否かを判断する。「１０段階」以内であると判断される場合（Ｓ２１５：ＹＥＳ）には、Ｓ２１７に進み、ＣＰＵ１４は、参照したコンテンツ情報１３２の属性情報１４９を「新しい」に設定する。その後、Ｓ２２５へ進む。一方、「１０段階」以内ではないと判断される場合（Ｓ２１５：ＮＯ）には、Ｓ２１９へ進む。
【００４５】
Ｓ２１９において、ＣＰＵ１４は、参照した表示優先度１４７が「２０段階」以内であるか否かを判断する。「２０段階」以内であると判断される場合（Ｓ２１９：ＹＥＳ）には、Ｓ２２１に進み、ＣＰＵ１４は、参照したコンテンツ情報１３２の属性情報１４９を「通常」に設定する。その後、Ｓ２２５へ進む。一方、「２０段階」以内ではないと判断される場合（Ｓ２１９：ＮＯ）には、Ｓ２２３へ進む。Ｓ２２３において、ＣＰＵ１４は、コンテンツ情報１３２の属性情報１４９を「古い」に設定する。その後、Ｓ２２５へ進む。
【００４６】
Ｓ２２５において、ＣＰＵ１４は、コンテンツ情報記憶領域３７に記憶されるコンテンツ情報１３２のうち、表示優先度１４７について未確認のコンテンツ情報１３２が存在するか否かを判断する。未確認のコンテンツ情報１３２が存在すると判断される場合（Ｓ２２５：ＹＥＳ）には、Ｓ２１３へ戻り、当該未確認のコンテンツ情報１３２についての表示優先度１４７の確認処理が行われる。一方、未確認のコンテンツ情報１３２が存在しないと判断される場合（Ｓ２２５：ＮＯ）には、Ｓ２２７へ進む。
【００４７】
Ｓ２２７において、ＣＰＵ１４は、新着記事割合を算出する。新着記事割合は、今回のコンテンツ情報１３２の抽出処理で得られたコンテンツ情報１３２（新着記事）が、コンテンツ情報記憶領域３７に記憶される全てのコンテンツ情報１３２（新着記事および前回の抽出処理以前に得られたコンテンツ情報１３２）に占める割合である。
【００４８】
Ｓ２２９に進むと、ＣＰＵ１４は、算出された新着記事割合が所定割合以下であるか否かを判断する。所定割合の値は、例えばユーザ等によって予め定められるとしてもよい。本実施形態の説明例では、所定割合が７０％の場合を説明する。新着記事割合が７０％以下であると判断される場合（Ｓ２２９：ＹＥＳ）には、Ｓ２３１へ進み、新着記事優先表示処理が行われる。新着記事優先表示処理は、コンテンツ情報記憶領域３７に記憶される全てのコンテンツ情報１３２のコンテンツタイトル文字列１４０をタッチパネル５０にスクロール表示する間に、表示優先度１４７の低いコンテンツ情報１３２に比べて、表示優先度１４７が高いコンテンツ情報１３２ほど、コンテンツタイトル文字列１４０がより多くの回数でタッチパネル５０に表示する、という処理である。新着記事優先表示処理の詳細については、後述する。
【００４９】
一方、新着記事割合が７０％以下ではないと判断される場合（Ｓ２２９：ＮＯ）には、Ｓ２３３へ進み、通常表示処理が行われる。通常表示処理は、コンテンツ情報記憶領域３７に記憶される全てのコンテンツ情報１３２のコンテンツタイトル文字列１４０について、表示優先度１４７の高低にかかわらず、同じ回数でタッチパネル５０に表示する、という処理である。
【００５０】
図６を用いて、新着記事優先表示処理を説明する。新着記事優先表示処理は、ユーザによって選択されたコンテンツ情報１３２に関するディスクリプション１４４やコンテンツを、タッチパネル５０に表示する処理である。Ｓ２４１において、ＣＰＵ１４は、表示内容テーブル３６の作成を開始する。
【００５１】
Ｓ２４３ないしＳ２５５では、コンテンツ情報記憶領域３７に記憶されているコンテンツ情報１３２が１つずつ選択され、表示内容テーブル３６（図１０）に登録するか否かが判断される。Ｓ２４３において、ＣＰＵ１４は、選択したコンテンツ情報１３２が、新しいコンテンツ情報１３２か否かを判断する。具体的には、属性情報１４９が「新しい」とされるコンテンツ情報１３２を、新しいコンテンツ情報１３２であると判断する。新しいコンテンツ情報１３２であると判断される場合（Ｓ２４３：ＹＥＳ）には、Ｓ２４５へ進む。Ｓ２４５において、ＣＰＵ１４は、新しいコンテンツ情報１３２のコンテンツタイトル文字列１４０およびディスクリプション１４４を、表示内容テーブル３６の２カ所の記憶領域１３４へコピーする。そして、Ｓ２４７に進み、ＣＰＵ１４は、選択したコンテンツ情報１３２の表示優先度１４７を「１段階」低下させる。その後、Ｓ２５５へ進む。
【００５２】
一方、選択したコンテンツ情報１３２が、新しいコンテンツ情報１３２ではないと判断される場合（Ｓ２４３：ＮＯ）には、Ｓ２４９へ進む。Ｓ２４９において、ＣＰＵ１４は、選択したコンテンツ情報１３２が、通常のコンテンツ情報１３２か否かを判断する。具体的には、属性情報１４９が「通常」とされるコンテンツ情報１３２を、通常のコンテンツ情報１３２であると判断する。通常のコンテンツ情報１３２ではないと判断される場合（Ｓ２４９：ＮＯ）にはＳ２５５へ進み、通常のコンテンツ情報１３２であると判断される場合（Ｓ２４９：ＹＥＳ）にはＳ２５１へ進む。Ｓ２５１において、ＣＰＵ１４は、通常のコンテンツ情報１３２のコンテンツタイトル文字列１４０およびディスクリプション１４４を、表示内容テーブル３６の１カ所の記憶領域１３４へコピーする。そしてＳ２５３に進み、ＣＰＵ１４は、選択したコンテンツ情報１３２の表示優先度１４７を「１段階」低下させる。その後、Ｓ２５５へ進む。
【００５３】
Ｓ２５５において、ＣＰＵ１４は、表示内容テーブル３６への登録について未判断のコンテンツ情報１３２が、コンテンツ情報記憶領域３７に存在するか否かを判断する。存在すると判断される場合（Ｓ２５５：ＹＥＳ）には、Ｓ２４３へ進み、未判断のコンテンツ情報１３２について上記判断が行われる。一方、存在しないと判断される場合（Ｓ２５５：ＮＯ）には、Ｓ２５７へ進む。
【００５４】
Ｓ２５７において、ＣＰＵ１４は、表示内容テーブル３６の記憶領域１３４の並びをランダムに並び替える。Ｓ２５９に進むと、ＣＰＵ１４は、表示内容テーブル３６に登録されたコンテンツタイトル文字列１４０を、メモリ番号の順でタッチパネル５０にスクロール表示する。
【００５５】
これにより、新しいコンテンツ情報１３２の方が、通常のコンテンツ情報１３２に対して２倍の割合で表示内容テーブル３６に登録される。よって、表示内容テーブル３６に記憶される、属性情報１４９が「新しい」および「通常」とされる全てのコンテンツ情報１３２についてのコンテンツタイトル文字列１４０をスクロール表示する間に、通常のコンテンツ情報１３２のコンテンツタイトル文字列１４０に比べて、新しいコンテンツ情報１３２のコンテンツタイトル文字列１４０の方が、２倍の確率でタッチパネル５０に表示される。
【００５６】
図７を用いて、詳細情報表示処理を説明する。詳細情報表示処理は、タッチパネル５０でスクロール表示されているコンテンツタイトル文字列１４０を選択することで、選択されたコンテンツタイトル文字列１４０に関連する詳細な情報をタッチパネル５０に表示する処理である。詳細情報表示処理は、割り込み処理として実行される、独立したフローである。
【００５７】
Ｓ２６１において、ＣＰＵ１４は、選択されたコンテンツ情報１３２のディスクリプション１４４を表示する。具体的には、タッチパネル５０でスクロール表示されているコンテンツタイトル文字列１４０がタッチ操作されることにより、タッチ操作されたコンテンツタイトル文字列１４０を有するコンテンツ情報１３２が選択される。そしてＣＰＵ１４は、選択されたコンテンツ情報１３２のディスクリプション１４４をタッチパネル５０に表示する。これにより、ユーザは、コンテンツタイトル文字列１４０を見てコンテンツに興味を持った場合には、コンテンツタイトル文字列１４０をタッチ操作してディスクリプション１４４を表示することで、コンテンツの概略を知ることができる。
【００５８】
Ｓ２６３に進むと、ＣＰＵ１４は、ディスクリプション１４４を表示したコンテンツ情報１３２の表示優先度１４７を、「１０段階」低下させる。
【００５９】
Ｓ２６５に進むと、ＣＰＵ１４は、ディスクリプション１４４の表示終了命令が入力されたか否かを判断する。例えば、表示を閉じる旨のボタンがタッチパネル５０に表示され、当該ボタンがタッチされることによって表示終了命令が入力されるとしてもよい。表示終了命令が入力された場合（Ｓ２６５：ＹＥＳ）には、フローが終了される。一方、表示終了命令が入力されていない場合（Ｓ２６５：ＮＯ）には、Ｓ２６７へ進む。
【００６０】
Ｓ２６７に進むと、ＣＰＵ１４は、コンテンツの表示開始命令が入力されたか否かを判断する。例えば、詳細情報を表示する旨のボタンがタッチパネル５０に表示され、当該ボタンがタッチされることによってコンテンツの表示開始命令が入力されるとしてもよい。表示開始命令が入力されていない場合（Ｓ２６７：ＮＯ）にはＳ２６５へ戻り、表示開始命令が入力された場合（Ｓ２６７：ＹＥＳ）にはＳ２６９へ進む。
【００６１】
Ｓ２６９において、ＣＰＵ１４は、コンテンツＵＲＬ１４６に基づいて、コンテンツをコンテンツ提供サーバ９０、９１からダウンロードする。Ｓ２７１に進むと、ＣＰＵ１４は、ダウンロードしたコンテンツをタッチパネル５０に表示する。Ｓ２７３に進むと、ＣＰＵ１４は、コンテンツを表示したコンテンツ情報１３２の表示優先度１４７を、「２０段階」低下させる。
【００６２】
Ｓ２７５に進むと、ＣＰＵ１４は、コンテンツの表示終了命令が入力されたか否かを判断する。例えば、コンテンツを閉じる旨のボタンがタッチパネル５０に表示され、当該ボタンがタッチされることによってコンテンツの表示終了命令が入力されるとしてもよい。表示終了命令が入力されていない場合（Ｓ２７５：ＮＯ）には、Ｓ２７５へ戻り、表示終了命令の入力が行われるまで待機する。そして、表示終了命令が入力されると（Ｓ２７５：ＹＥＳ）、フローが終了される。
【００６３】
これにより、ユーザは、ディスクリプション１４４を読んでコンテンツに興味を持った場合には、コンテンツの表示開始命令を入力することにより、コンテンツをタッチパネル５０に表示させることができる。
【００６４】
なお、ディスクリプション１４４やコンテンツのタッチパネル５０への表示形態は、多様な形態であってよく、スクロール表示に限られない。例えば、表示内容がタッチパネル５０の画面に収まりきらない場合には、手動で画面をスクロール出来る表示態様であってもよいし、切り替えボタンでページ切り替えを行う表示態様であってもよい。
【００６５】
以上説明したように、本実施形態に係る多機能機１０では、新着情報である新しいコンテンツ情報１３２を取得した時点で、最も高い表示優先度１４７（０段階）が新しいコンテンツ情報１３２に割り当てられる。その後、コンテンツタイトル文字列１４０の自動スクロール表示が行われる度に、当該コンテンツタイトル文字列１４０に対応するコンテンツ情報１３２の表示優先度１４７が１段階低下される。また、ユーザによってディスクリプション１４４が表示されることに応じて、当該ディスクリプション１４４に対応するコンテンツ情報１３２の表示優先度１４７が１０段階低下される。さらに、ユーザによってコンテンツが表示されることに応じて、当該コンテンツに対応するコンテンツ情報１３２の表示優先度１４７が２０段階低下される。そして、表示優先度１４７が高いコンテンツ情報１３２のコンテンツタイトル文字列１４０ほど、多い回数でタッチパネル５０に表示される処理が行われる。
【００６６】
本実施形態に係る発明の効果を以下に説明する。本実施形態に係る多機能機１０では、コンテンツタイトル文字列１４０がスクロール表示されたコンテンツ情報１３２は、表示優先度１４７が１段階ずつ低くされていく。そして、表示優先度１４７が高いコンテンツ情報１３２のコンテンツタイトル文字列１４０ほど、多い回数でタッチパネル５０に表示される。すなわち、コンテンツ情報１３２のコンテンツタイトル文字列１４０の表示回数が多くなることに応じて、コンテンツタイトル文字列１４０が表示される回数が減少する。これにより、表示回数が少ないコンテンツ情報１３２のコンテンツタイトル文字列１４０が、表示回数が多いコンテンツ情報１３２のコンテンツタイトル文字列１４０に埋もれて表示されることにより、表示回数が少ないコンテンツ情報１３２のコンテンツタイトル文字列１４０にユーザが気が付かない、という事態の発生を防止することができる。また、表示回数が多いコンテンツ情報１３２のコンテンツタイトル文字列１４０の表示回数を少なくすることで、同一のコンテンツタイトル文字列１４０が繰り返し表示される事態を防止できるため、表示回数が少ないコンテンツ情報１３２のコンテンツタイトル文字列１４０をユーザに気付かせ易い態様で表示することができる。
【００６７】
また、本実施形態に係る多機能機１０では、ディスクリプション１４４がユーザによって表示されたコンテンツ情報１３２の表示優先度１４７を低くする。これにより、ディスクリプション１４４が既読状態のコンテンツ情報１３２のコンテンツタイトル文字列１４０が繰り返し表示される事態を防止できる。よって、ディスクリプション１４４が未読のコンテンツ情報１３２を、ユーザに気付かせ易い態様で表示することが可能となる。
【００６８】
また、本実施形態に係る多機能機１０では、コンテンツがユーザによって表示されたコンテンツ情報１３２の表示優先度１４７を低くする。これにより、コンテンツが既読状態のコンテンツ情報１３２のコンテンツタイトル文字列１４０が繰り返し表示される事態を防止できる。よって、コンテンツが未読のコンテンツ情報１３２を、ユーザに気付かせ易い態様で表示することが可能となる。
【００６９】
また、本実施形態に係る多機能機１０では、コンテンツタイトル文字列１４０が表示されることによる表示優先度１４７の低下度合い（１段階低下）よりも、ディスクリプション１４４が表示されることによる表示優先度１４７の低下度合い（１０段階低下）や、コンテンツが表示されることによる表示優先度の低下度合い（２０段階低下）の方が大きくなる。よって、ディスクリプション１４４やコンテンツが表示済みのコンテンツ情報１３２（すなわち、ユーザによって選択される可能性が低い情報）よりも、ディスクリプション１４４やコンテンツが未表示のコンテンツ情報（すなわち、ユーザによって選択される可能性が高い情報）の方が、より多い回数で表示されるため、ユーザの利便性を高めることができる。
【００７０】
また、本実施形態に係る多機能機１０では、ディスクリプション１４４が表示されることによる表示優先度１４７の低下度合い（１０段階低下）よりも、コンテンツが表示されることによる表示優先度１４７の低下度合い（２０段階低下）の方が、低下度合いが大きくされる。ディスクリプション１４４が表示されたコンテンツ情報１３２は、コンテンツを表示するためにユーザに再度選択される可能性が高い。一方、コンテンツが表示されたコンテンツ情報１３２は、コンテンツ以上に詳細な情報は存在しないことから、ユーザに再度選択される可能性が低い。そして、コンテンツが表示されたコンテンツ情報１３２よりも、ディスクリプション１４４が表示されたコンテンツ情報１３２の方が、より多い回数で表示されるため、ユーザの利便性を高めることが可能となる。
【００７１】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００７２】
本実施形態では、コンテンツ情報１３２を選択するための情報として、コンテンツタイトル文字列１４０を用いる場合を説明したが、この形態に限られない。コンテンツ情報１３２を選択するための情報は、コンテンツ情報１３２の少なくとも一部であればよく、例えばディスクリプション１４４やコンテンツ更新日時情報１４２を用いてもよい。
【００７３】
また、本実施形態では、通常のコンテンツ情報１３２のコンテンツタイトル文字列１４０に比べて、新しいコンテンツ情報１３２のコンテンツタイトル文字列１４０の方が、２倍の確率でタッチパネル５０に表示される場合を説明したが、この形態に限られない。表示確率は、コンテンツ情報１３２に関する情報を表示内容テーブル３６にコピーする数の比率によって任意に変更することができる。例えば、新しいコンテンツ情報１３２に関する情報を、通常のコンテンツ情報１３２に関する情報に対して３倍の数の比率で表示内容テーブル３６にコピーすれば、新しいコンテンツ情報１３２に関する情報を通常のコンテンツ情報１３２に関する情報に対して３倍の確率で表示させることができる。
【００７４】
また、本実施形態では、表示優先度１４７が「１０段階」以内のコンテンツ情報１３２の属性情報１４９を「新しい」と設定し、表示優先度１４７が「２０段階」以内のコンテンツ情報１３２の属性情報１４９を「通常」と設定し、表示優先度１４７が「２０段階」より大きいコンテンツ情報１３２の属性情報１４９を「古い」と設定するとしたが、この形態に限られない。表示優先度１４７と属性情報１４９との相関は、ユーザ等によって適宜設定することが可能であることは言うまでもない。
【００７５】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００７６】
なお、コンテンツＵＲＬ１４６はコンテンツ位置情報の一例、ディスクリプション１４４は本文情報の一例、タッチパネル５０は表示部の一例、多機能機１０は通信装置の一例、０段階は初期優先度の一例、１段階低下は第１低下度の一例、１０段階低下は第２低下度の一例、２０段階低下は第３低下度の一例、である。
【００７７】
また、Ｓ６１を実行する制御部はコンテンツ情報抽出手段の一例である。Ｓ７６、Ｓ７７、Ｓ２４５、Ｓ２５１、Ｓ２６３、Ｓ２７３を実行する制御部はコンテンツ情報記憶手段の一例である。Ｓ２３１、Ｓ２６１、Ｓ２７１を実行する制御部は表示手段の一例である。Ｓ２６１を実行する制御部は選択受付手段の一例である。Ｓ７６を実行する制御部は新着情報判断手段の一例である。Ｓ２６９を実行する制御部は詳細情報取得手段の一例である。
【符号の説明】
【００７８】
１０  多機能機
３６  表示内容テーブル
３７  コンテンツ情報記憶領域
５０  表示パネル
７０  ＰＣ
１０２  サイトＵＲＬ
１３２  コンテンツ情報
１４０  コンテンツタイトル文字列
１４４  ディスクリプション
１４７  表示優先度
１４９  属性情報
【図１】
2010231307.tif 000003
【図２】
2010231307.tif 000004
【図３】
2010231307.tif 000005
【図４】
2010231307.tif 000006
【図５】
2010231307.tif 000007
【図６】
2010231307.tif 000008
【図７】
2010231307.tif 000009
【図８】
2010231307.tif 000010
【図９】
2010231307.tif 000011
【図１０】
2010231307.tif 000012